【手続補正書】
【提出日】平成28年2月26日(2016.2.26)
【手続補正１】
【補正対象書類名】特許請求の範囲
【補正対象項目名】全文
【補正方法】変更
【補正の内容】
【特許請求の範囲】
【請求項１】
コンテンツの企画内容を示す企画情報を受け付ける企画受付手段と、
前記企画受付手段によって受け付けられた企画情報を提示するとともに、前記コンテンツの企画段階で前記コンテンツを制作するコンテンツ制作者によって前記コンテンツに設定される広告枠に広告を表示する権利を落札対象とするオークションサービスを提供する提供手段と、
を備えたことを特徴とするオークション装置。
【請求項２】
前記企画受付手段は、
前記コンテンツに設定される広告枠に関する広告枠情報をさらに受け付け、
前記提供手段は、
前記企画受付手段によって受け付けられた広告枠情報に基づいて、前記オークションサービスを提供する、
ことを特徴とする請求項１に記載のオークション装置。
【請求項３】
前記企画受付手段は、
前記広告枠情報を１回だけ受け付けるか、又は、前記広告枠情報を複数回受け付けた場合に２回目以降に受け付けた広告枠情報を廃棄する、
ことを特徴とする請求項２に記載のオークション装置。
【請求項４】
前記企画受付手段は、
最初に受け付けた広告枠情報によって定まる落札対象の価値の希薄化に繋がらない範囲で新たな広告枠情報を更に受け付ける、
ことを特徴とする請求項２に記載のオークション装置。
【請求項５】
前記企画受付手段は、
前記コンテンツに設定される広告枠の数の増加、当該コンテンツに設定される広告枠の位置の変化、当該広告枠の時間の変化、当該広告枠のサイズの変化、及び、当該コンテンツの想定制作費のうち少なくとも１つが前記落札対象の価値の希薄化に繋がると判定する、
ことを特徴とする請求項４に記載のオークション装置。
【請求項６】
前記企画受付手段は、
前記広告枠情報を最初に受け付けてから前記オークションサービスにおいて最初に入札される前までは新たな広告枠情報を受け付ける、
ことを特徴とする請求項２に記載のオークション装置。
【請求項７】
前記提供手段によって前記オークションサービスが提供された場合に、当該オークションサービスの提供時に決められているオークション条件の一部について変更を許可する許可手段、
をさらに備えたことを特徴とする請求項１又は２に記載のオークション装置。
【請求項８】
前記許可手段は、
前記コンテンツに複数の広告枠が設定されている場合に、一方の広告枠におけるオークション条件について、他方の広告枠に広告を表示する権利の希薄化に繋がらない範囲で変更を許可する、
ことを特徴とする請求項７に記載のオークション装置。
【請求項９】
前記提供手段は、
前記許可手段によって変更することが許可されない前記オークション条件を提示するとともに、前記オークションサービスを提供する、
ことを特徴とする請求項７又は８に記載のオークション装置。
【請求項１０】
前記企画受付手段は、
前記企画情報を複数回受け付け、
前記提供手段は、
前記企画受付手段によって２回目以降に受け付けられた企画情報により前記企画内容が変更になった場合に、前記広告枠に関するオークションの入札者又は落札者に当該オークションを無効にするか否かを問い合わせる、
ことを特徴とする請求項１〜９のいずれか一つに記載のオークション装置。
【請求項１１】
前記コンテンツ制作者から前記企画情報に対応するコンテンツを受け付けるとともに、前記オークションサービスにおいて広告を表示する権利を有する広告主から広告データを受け付けるコンテンツ受付手段と、
前記コンテンツ受付手段によってコンテンツ及び広告データが受け付けられた場合に、当該コンテンツに設定されている広告枠に、当該広告枠に広告を表示する権利を有する広告主に対応する広告データを組み込んだ合成コンテンツを生成する生成手段と、
をさらに備えたことを特徴とする請求項１〜１０のいずれか一つに記載のオークション装置。
【請求項１２】
前記生成手段によって生成された合成コンテンツがユーザの端末装置に配信される前に、当該合成コンテンツを前記広告主及び前記コンテンツ制作者の少なくともいずれかに送信する送信手段、
をさらに備えたことを特徴とする請求項１１に記載のオークション装置。
【請求項１３】
前記生成手段によって生成された合成コンテンツと前記企画情報によって示される企画内容との整合性を検証する検証手段、
をさらに備えたことを特徴とする請求項１１又は１２に記載のオークション装置。
【請求項１４】
前記提供手段は、
前記オークションサービスにおいて前記落札対象に入札した入札者、又は、当該落札対象を落札した落札者の業種を表示する、
ことを特徴とする請求項１〜１３のいずれか一つに記載のオークション装置。
【請求項１５】
前記提供手段は、
前記コンテンツに複数の広告枠が設定されている場合に、当該コンテンツに対応する企画情報に対応付けて、各広告枠に関するオークションを管理する、
ことを特徴とする請求項１〜１４のいずれか一つに記載のオークション装置。
【請求項１６】
前記提供手段は、
前記コンテンツに複数の広告枠が設定されている場合に、各広告枠に関するオークション毎に設定された期間に当該オークションが開催されるオークションサービスを提供する、
ことを特徴とする請求項１〜１５のいずれか一つに記載のオークション装置。
【請求項１７】
前記企画受付手段は、
落札価格の目標額を含む広告枠情報を受け付け、
前記提供手段は、
前記複数の広告枠に対応する各オークションのうち既に終了したオークションにおける落札価格と、前記企画受付手段によって受け付けられた目標額とに応じて、今後開催されるオークションにおける最低落札価格又は即決価格を調整する、
ことを特徴とする請求項１６に記載のオークション装置。
【請求項１８】
前記提供手段は、
前記複数の広告枠に対応する各オークションにおける落札価格の総額が前記企画受付手段によって受け付けられた目標額に達しない場合には、当該各オークションを不成立とする、
ことを特徴とする請求項１７に記載のオークション装置。
【請求項１９】
前記提供手段は、
前記広告枠に広告を表示する権利、及び、前記コンテンツの制作に参加する権利を落札対象とするオークションサービスを提供する、
ことを特徴とする請求項１〜１８のいずれか一つに記載のオークション装置。
【請求項２０】
前記オークションサービスにおいて広告を表示する権利を落札した落札者から入金される落札金を管理し、前記コンテンツ制作者からコンテンツ制作にかかる費用を請求されるたびに、前記落札金の一部又は全部を当該コンテンツ制作者に送金する落札金管理手段、
をさらに備えたことを特徴とする請求項１〜１９のいずれか一つに記載のオークション装置。
【請求項２１】
前記落札金管理手段は、
前記コンテンツ制作者によりコンテンツが制作された後に、前記落札金の余剰金を当該コンテンツ制作者に送金する、
ことを特徴とする請求項２０に記載のオークション装置。
【請求項２２】
前記提供手段は、
前記広告枠に広告を表示する権利、及び、当該広告枠に表示される広告を差し替える権利を落札対象とするオークションサービスを提供する、
ことを特徴とする請求項１〜２１のいずれか一つに記載のオークション装置。
【請求項２３】
前記提供手段は、
前記コンテンツ制作者によって制作されるコンテンツの企画内容を示す企画情報の一部を提示し、前記企画情報の一部を閲覧した広告主からの要求を受け付けた場合に前記企画情報の一部以外の他の情報を提示し、前記オークションサービスを提供する、
ことを特徴とする請求項１〜２２のいずれか一つに記載のオークション装置。
【請求項２４】
コンピュータが実行するオークション方法であって、
コンテンツの企画内容を示す企画情報を受け付ける企画受付工程と、
前記企画受付工程によって受け付けられた企画情報を提示するとともに、前記コンテンツの企画段階で前記コンテンツを制作するコンテンツ制作者によって前記コンテンツに設定される広告枠に広告を表示する権利を落札対象とするオークションサービスを提供する提供工程と、
を含んだことを特徴とするオークション方法。
【請求項２５】
コンテンツの企画内容を示す企画情報を受け付ける企画受付手順と、
前記企画受付手順によって受け付けられた企画情報を提示するとともに、前記コンテンツの企画段階で前記コンテンツを制作するコンテンツ制作者によって前記コンテンツに設定される広告枠に広告を表示する権利を落札対象とするオークションサービスを提供する提供手順と、
をコンピュータに実行させることを特徴とするオークションプログラム。